(57)【特許請求の範囲】
【請求項１】
撮像手段と、
動画撮影モードの設定を検出する検出手段と、
この検出手段により動画撮影モードの設定が検出された後に前記撮像手段によって撮像された複数の静止画からなる撮像データと、当該機器が動画撮影モードに設定されていることを示すデータとを、当該機器外部の電子機器へ送信する送信手段と、
を備えた撮像機器と、
前記送信手段によって送信された前記撮像データと前記動画撮影モードに設定されていることを示すデータとを受信する受信手段と、
この受信手段によって前記撮像データと前記動画撮影モードに設定されていることを示すデータとを受信すると、前記撮像データの複数の静止画を圧縮加工して動画ファイルを作成する作成手段と、
この作成手段によって作成された動画ファイルを格納する格納手段と、
を備えた電子機器と、
を備えることを特徴とする動画生成システム。
【請求項２】
前記撮像機器は、前記撮像手段による撮像の終了を指示する指示手段を更に備え、
前記送信手段は、前記動画撮影モードにて前記指示手段による撮像の終了が指示されると、この終了の指示を検出するまでに撮像された撮像データを送信することを特徴とする請求項１に記載の動画作成システム。
【請求項３】
前記撮像機器は、前記撮像データを記憶する撮像データ記憶手段と、
前記送信手段は、前記動画撮影モードにて撮像される撮像データのデータ量によって前記撮像データ記憶手段の記憶容量が不足するか否かを判断する判断手段と、を更に備え、
前記送信手段は、前記判断手段により前記撮像データ記憶手段の記憶容量が不足すると判断すると、この撮像データ記憶手段に記憶された撮像データを送信することを特徴とする請求項１に記載の動画作成システム。
【請求項４】
前記送信手段と前記受信手段とはリンク確立されることにより互いに同期し、
前記撮像機器は、
前記検出手段によって動画撮影モードの設定が検出されると、前記動画撮影モードに設定されていることを示すデータを前記電子機器に送信し、前記電子機器とのリンク確立を外すよう前記送信手段を制御する第１の送信制御手段と、
この第１の送信制御手段による制御の後に前記撮像データを前記電子機器に送信する際、前記電子機器とリンクを再確立するよう前記送信手段を制御する第２の送信制御手段と、
を更に備えたことを特徴とする請求項１乃至３の何れか記載の動画作成システム。
【請求項５】
前記送信手段及び前記受信手段は、近接無線通信によりリンク確立されることを特徴とする請求項４記載の動画作成システム。
【請求項６】
撮像機器と電子機器とを備えるシステムの動画作成方法であって、
前記撮像機器にて動画撮影モードの設定を検出する検出ステップと、
この検出ステップにて動画撮影モードの設定が検出された後に撮像された複数の静止画からなる撮像データと、当該撮像機器が動画撮影モードに設定されていることを示すデータとを、前記電子機器へ送信する送信ステップと、
前記電子機器にて、前記送信ステップにて送信された前記撮像データと前記動画撮影モードに設定されていることを示すデータとを受信する受信ステップと、
この受信ステップにて前記撮像データと前記動画撮影モードに設定されていることを示すデータとを受信すると、前記撮像データの複数の静止画を圧縮加工して動画ファイルを作成する作成ステップと、
この作成ステップにて作成された動画ファイルを記憶部に格納する格納ステップと、
を含むことを特徴とする動画作成方法。
【発明の詳細な説明】
【０００１】
【発明の属する技術分野】
【０００２】
本発明は、撮像機器と電子機器とからなる動画作成システム及び動画作成方法に関する。
【０００３】
【従来の技術】
【０００４】
今日においては、デジタルカメラの小型化及び多機能化が急速に図られており、その中には小型ながら、静止画のみならず動画撮像機能や、通信機能を備えるデジタルカメラも出現するに至っている。
【０００５】
【発明が解決しようとする課題】
【０００６】
しかしながら、上記のようなデジタルカメラでは、回路規模や電源周りの制約から、撮影に際して同時にＪＰＥＧ方式や、ＭＰＥＧ方式にデータ圧縮し、かつ外部機器に転送することは困難であり、撮像された画像データをデータ圧縮させて動画ファイルを作成させた後、別途転送操作を行なうことにより、動画ファイルを転送させなければならず、操作が煩わしい欠点があった。
【０００７】
本発明は、このような問題に鑑みてなされたものであり、動画作成のための撮像データの転送時における操作上の煩わしさを解消することのできる動画作成システム及び動画作成方法を提供することを目的とするものである。
【０００８】
【課題を解決するための手段】
【０００９】
前記課題を解決するために請求項１記載の発明にあっては、撮像手段と、動画撮影モードの設定を検出する検出手段と、この検出手段により動画撮影モードの設定が検出された後に前記撮像手段によって撮像された複数の静止画からなる撮像データと、当該機器が動画撮影モードに設定されていることを示すデータとを、当該機器外部の電子機器へ送信する送信手段と、を備えた撮像機器と、前記送信手段によって送信された前記撮像データと前記動画撮影モードに設定されていることを示すデータとを受信する受信手段と、この受信手段によって前記撮像データと前記動画撮影モードに設定されていることを示すデータとを受信すると、前記撮像データの複数の静止画を圧縮加工して動画ファイルを作成する作成手段と、この作成手段によって作成された動画ファイルを格納する格納手段とを備えた電子機器と、を備えることを特徴とする。
【００１０】
また、請求項２記載の発明にあっては、上記請求項１記載の発明において、前記撮像機器は、前記撮像手段による撮像の終了を指示する指示手段を更に備え、前記送信手段は、前記動画撮影モードにて前記指示手段による撮像の終了が指示されると、この終了の指示を検出するまでに撮像された撮像データを送信することを特徴とする。
【００１１】
また、請求項３記載の発明にあっては、上記請求項１記載の発明において、前記撮像機器は、前記撮像データを記憶する撮像データ記憶手段と、前記送信手段は、前記動画撮影モードにて撮像される撮像データのデータ量によって前記撮像データ記憶手段の記憶容量が不足するか否かを判断する判断手段と、を更に備え、前記送信手段は、前記判断手段により前記撮像データ記憶手段の記憶容量が不足すると判断すると、この撮像データ記憶手段に記憶された撮像データを送信することを特徴とする。
【００１２】
また、請求項４記載の発明にあっては、上記請求項１乃至３の何れか記載の発明において、前記送信手段と前記受信手段とはリンク確立されることにより互いに同期し、前記撮像機器は、前記検出手段によって動画撮影モードの設定が検出されると、前記動画撮影モードに設定されていることを示すデータを前記電子機器に送信し、前記電子機器とのリンク確立を外すよう前記送信手段を制御する第１の送信制御手段と、この第１の送信制御手段による制御の後に前記撮像データを前記電子機器に送信する際、前記電子機器とリンクを再確立するよう前記送信手段を制御する第２の送信制御手段と、を更に備えたことを特徴とする。
【００１３】
また、請求項５記載の発明にあっては、上記請求項４記載の発明において、前記送信手段及び前記受信手段は、近接無線通信によりリンク確立されることを特徴とする。
【００１４】
また、請求項６記載の発明にあっては、撮像機器と電子機器とを備えるシステムの動画作成方法であって、前記撮像機器にて動画撮影モードの設定を検出する検出ステップと、この検出ステップにて動画撮影モードの設定が検出された後に撮像された複数の静止画からなる撮像データと、当該撮像機器が動画撮影モードに設定されていることを示すデータとを、前記電子機器へ送信する送信ステップと、前記電子機器にて、前記送信ステップにて送信された前記撮像データと前記動画撮影モードに設定されていることを示すデータとを受信する受信ステップと、この受信ステップにて前記撮像データと前記動画撮影モードに設定されていることを示すデータとを受信すると、前記撮像データの複数の静止画を圧縮加工して動画ファイルを作成する作成ステップと、この作成ステップにて作成された動画ファイルを記憶部に格納する格納ステップと、を含むことを特徴とする。
【００２０】
【発明の実施の形態】
【００２１】
以下、本発明の実施の形態を図に従って説明する。
（システムの構成）
図１に示すように、本実施の形態にかかる無線通信システム１は、デジタルカメラ２、このデジタルカメラ２と例えばＢｌｕｅｔｏｏｔｈ方式等の近接無線通信により接続される携帯電話端末４、通信サービス事業者５、この通信サービス事業者５にＷＷＷ（Ｗｏｒｌｄ  Ｗｉｄｅ  Ｗｅｂ）７を介して接続されるサービスプロバイダ８等で構成される。通信サービス事業者５は、通信回線５５を介して無線基地局６に接続された交換器５４、モニタ５３、顧客管理用サーバ５２、通信回線７１を介してＷＷＷ７に接続されたＷＷＷ接続用サーバ５１を備えている。サービスプロバイダ８は、通信回線７２を介してＷＷＷ７に接続されるＷＷＷ用サーバ８１、サービスプロバイダ用サーバ５２、モニタ８３を備え、ＷＷＷを介してサービス利用者（顧客）がアップロードする動画データを格納するデータベース９に接続されている。
【００２２】
そして、本実施の形態においては、デジタルカメラ２で撮像した画像データを近接無線通信方式の一例としてＢｌｕｅｔｏｏｔｈ方式を適用して携帯電話端末４に転送し、この転送された画像データを含み携帯電話に記憶された画像ファイルデータ（静止画ファイル、動画ファイル）を、通信サービス事業者５が採用するデータ通信方式でパケットデータに変換して無線基地局６を介して通信サービス事業者５に送信し、さらに通信サービス事業者６からＷＷＷ７及びサービスプロバイダ８を介して、データベース９にアップロード（格納）するケースを考慮するものである。またこれとは逆にデータベース９に格納されている画像ファイルデータを、サービスプロバイダ８、ＷＷＷ７、通信サービス事業者５、無線基地局６、携帯電話端末４、及びデジタルカメラ２にダウンロード（送信、格納）させるケースも考慮するものである。
【００２３】
（携帯電話端末の構成）
図２は、前記携帯電話端末４の回路構成を示すブロック図である。同図に示すように、音声通信、データ通信に関わる各種回路構成については、既知の携帯電話端末が備える回路と機能的に同じであって、バス４０４に接続されたメインＣＰＵ４０５を有している。さらにバス４０４には、送受信部４０６、通信処理部４０７、プログラムメモリ４０８、時計部４０９、表示Ｉ／Ｆ４１０、ドライバ４１１、Ｂｌｕｅｔｏｏｔｈ用アンテナ４６０が接続された無線処理部４６１、ＲＡＭ４６３、サブＣＰＵ４６４、ＵＩＭカード用コネクタ４１２０、データメモリ４１３、コネクタ４１４、操作入力部４１５、音声復号符号処理部４１６、ＲＯＭ４６５、Ｉｒ通信モジュール４６６のＩｒ通信部（Ｉｒフィルタ）４６７が接続されている。
【００２４】
送受信部４０６は、前記無線基地局６との間でデジタル信号が重畳された８００ＭＨｚ〜２ＧＨｚの周波数帯の電波を送受信するアンテナ４１７を有し、受信されたデジタル信号は送受信共用器４１８を介して低雑音増幅器４５１に与えられ、シンセサイザー４２１から信号を与えられて動作する復調部４１９により復調され、等化器４２０により等化処理されてチャンネル符号／復号処理を行う通信処理部４０７に与えられる。また、通信処理部４０７で符号化されたデジタル信号は、シンセサイザー４２１から信号を与えられて動作する変調部４２２により変調されて、電力増幅部４２３により増幅され、送受信共用器４１８を介してアンテナ４１７から放射される。
【００２５】
プログラムメモリ４０８は、ＲＯＭで構成されており、通信サービス事業者５が採用する通信方式全般に関わる各種ソフトウェア、上位レイヤプロトコル、ドライバソフトウェアを格納しているエリアを有し、メインＣＰＵ４０５は、このプログラムメモリ４０８に格納されている各種プログラムに基づき、各回路部を制御する。サブＣＰＵ４６４は、同期保持部４６４１を備え、デジタルカメラ２の近接無線通処理、後述の画像処理を実行する。また、時計部４０９は、現在時刻等を計時するものである。表示Ｉ／Ｆ４１０は、表示ドライバ４２４を介してドットマトリクスタイプのカラーＬＣＤからなる表示部４２５に接続されており、表示部４２５は携帯電話端末４の本体前面に配置されている。
【００２６】
そして、メインＣＰＵ４０５及びサブＣＰＵ４６４の制御下で表示ドライバ４２４が表示部４２５を駆動することにより、表示部４２５に各種情報やメールを構成する文字を表示したり、通信サービス事業者５を介してＷＷＷ７接続することにより、インターネットサイトをブラウズ（閲覧）したり、デジタルカメラ２から転送された画像データを表示することも可能である。メインＣＰＵ４０５及びサブＣＰＵ４６４の制御下でドライバ４１１は、ＬＥＤ４２６を駆動するものであり、ＬＥＤ４２６は携帯電話端末４の本体所定箇所に配置されている。なお、本実施の形態においてＬＥＤ４２６は、多色発光ＬＥＤである。
【００２７】
無線処理部４６１は、主に２．４ＧＨｚ〜５ＧＨｚの周波数帯に対応し、デジタルカメラ２とＢｌｕｅｔｏｏｔｈ方式による近接無線通信を行うためのＢｌｕｅｔｏｏｔｈ用アンテナ４６０が接続されている。ＵＩＭカード用コネクタ４１２０には、当該携帯電話端末４の呼出電話番号や端末ＩＤ等の加入者情報を記憶しているＵＩＭカード４１２が着脱自在に装着されている。データメモリ４１３はＲＡＭであって、複数の発呼先氏名と電話番号とで構成されるメモリダイアル情報や受信データ等の各種データを格納するとともに、メインＣＰＵ４０５のワークエリアとしても使用される。コネクタ４１４は、専用ケーブルを介して外部機器とＵＳＢ接続可能な構成であり、操作入力部４１５は本体前面に配置されているキーで構成される。音声復号符号処理部４１６は、音声コーデックを内包し、バイブレータモータ４２７、スピーカ４２８、マイク４２９が接続されている。バイブレータモータ４２７は、スピーカ４２８がオフ状態にある場合において音声復号符号処理部４１６により復号された呼出音に同期して回転して振動を発生するものである。スピーカ４２８は音声復号符号処理部４１６が復号した呼出音及び受話音声を再生し、マイクは入力音声を検出して音声復号符号処理部４１６に入力し、この入力音声信号は音声復号符号処理部４１６により符号化される。ＲＯＭ４６５には、後述の図３に示す各種データが記憶されている。このＲＯＭ４６５は、ＦｌａｓｈＲＯＭのような、ある電圧条件で書き換えができるものであり、これによりダウンロード等による書き換え・アップグレードが可能に構成されている。
【００２８】
なお、本実施の形態においては、メインＣＰＵ４０５とサブＣＰＵ４６４とを設けるようにしたが、１つのＣＰＵのみにより構成するようにしてもよい。
【００２９】
図３は、前記ＲＯＭ４６５の記憶内容を示す概念図であり、領域４６５０〜４６５７が設けられている。領域４６５０は、デバイスＩＤメモリであって、デジタルカメラ２との認証、及び近接無線通信によるリンク確立のために必要となる当該携帯電話端末４のＩＤやメーカーＩＤ等が記憶されている。領域４６５１には、ＪＰＥＧファイルを例えばＭＰＥＧ圧縮加工された動画ファイルに変換し、かつ動画ファイルをＪＰＥＧファイルに変換するための変換アプリケーションプログラムが格納されている。領域４６５２にはＵＳＢ通信用ドライバ（ソフトウェア）が格納され、領域４６５３には近接無線通信用ドライバ（ソフトウェア、本実施の形態ではＢｌｕｅｔｏｏｔｈ方式）が格納されている。領域４６５４には各種データ（本実施の形態においては画像データ）変換用アプリケーションプログラム以外の、例えば、テキスト変換用アプリケーションプログラムや、ＰＩＭ（個人情報管理）変換用アプリケーションプログラムが格納されている。
【００３０】
なお、この領域４６５４は、上記データ変換用アプリケーションプログラムに限定されることは無く、通信を行う外部の周辺機器の仕様や種類に応じて多様なアプリケーションプログラムを格納することが可能である。
【００３１】
例えば、データ通信相手先となる外部機器がＧＰＳ機能を備えていれば、測位データを通信サービス事業者５が採用するデータ形式に変換するようなアプリケーションプログラムを格納しても良いし、周囲環境（温度、圧力、照度、騒音）や、人体に関する情報（脈拍、歩数）を測定する機能を備えていれば、これらの測定データを通信サービス事業者５が採用するデータ形式に変換するようなアプリケーションプログラムを格納しても良い。また、これらのアプリケーションプログラムは、ＷＷＷ７を介して、サービスプロバイダより、ダウンロード可能なＪａｖａ（登録商標）スクリプト等で記述されているものが望ましい。
【００３２】
図４は、前記ＲＡＭ４６３の記憶内容を示す概念図であり、その他データ格納領域４６３０、静止画ファイル格納領域４６３１、動画ファイル格納領域４６３２、ワークメモリ領域４６３３が設けられている。静止画ファイル格納領域４６３１には送受信する静止画ファイルが格納され、動画ファイル格納領域４６３２には送受信する動画ファイルが格納される。尚、図示しないが、これらの静止画ファイルと動画ファイルについては、デジタルカメラ２から一斉に送信される複数の静止画ファイル（ＪＰＥＧ形式）と、これに基づいて作成される動画ファイル（ＭＰＥＧ形式）とが対応付けて管理されている。その他データ格納領域には、これら静止画及び動画以外の送受信するデータが格納され、ワークメモリ領域４６３３はサブＣＰＵ４６４の作業用として使用される。
【００３３】
図５は、前記無線処理部４６１の構成を示すブロック図である。前記アンテナ４６０は、ＢＰＦ４６１１を介してＳＷ４６１２に接続されている。このＳＷ４６１２とＢｌｕｅｔｏｏｔｈ  Ｂａｓｅｂａｎｄ  Ｃｏｎｔｒｏｌｌｅｒ（ブルーツゥースベースバンドコントローラ）４６１９間において、受信系は、アンプ４６１３、混合器４６１４、ＩＦＢＰＦ４６１５、アンプ４６１６、復調回路４６１７、ＬＰＦ４６１８で構成され、送信系は、ガウシアンフィルタ（Ｇａｕｓｓｉａｎ  Ｆｉｌｔｅｒ）４６２０、ＳＷ４６２１、ＰＬＬシンセサイザ４６２４、ＬＰＦ４６２３、ＶＣＯ４６２２、ＳＷ３１５７、及びアンプ４６２６が設けられている。また、ブルーツゥースベースバンドコントローラ４６１９からの制御データが、ＳＷ４６１２、４６２５、４６２１及びＰＬＬシンセサイザ４６２４とに与えられ、通信制御を行うようになっている。
【００３４】
（デジタルカメラの構成）
図６は、デジタルカメラ２の外観構成を示す平面図、図７（ａ）は拡大平面図、図７（ｂ）は、図７（ａ）のＡ矢示図である。このデジタルカメラ２は、腕に装着可能な形状を模しており、腕時計型の機器本体２００と、この機器本体２００の相対向する端部に係着された一対のリストバンド２０１、２０２とを備えている。一方のリストバンド２０１には、鞘２０３、バックル２０４及び係止ピン２０５が設けられている。機器本体２００の両側部には、キースイッチからなるキーＳ１〜Ｓ５が設けられており、上面には後述する表示モジュール２１０の表示部２１０１が設けられているとともに、シャッターキーＦ０が設けられている。機器本体２００のリストバンド２０１側の端部には、後述するカラーカメラモジュール２０７の撮像レンズ部２０７１が設けられ、内部には無線処理部４６１が設けられている。なお、キーＳ１〜Ｓ５において、Ｓ１はＦＯＲＷＡＲＤキー、Ｓ２はＡＤＪＵＳＴキー、Ｓ３はＭＯＤＥ／ＳＥＬＥＣＴキー、Ｓ４はＲＥＶＥＲＳＥキー、Ｓ５はＩＮＦＯ／ＣＨＡＮＧＥキーである。
【００３５】
図８は、デジタルカメラ２の回路構成を示すブロック図である。図に示すように、デジタルカメラ２はデータライン（８ｂｉｔ）２０９を介して相互に接続された表示モジュール２１０、カラーカメラモジュール２０７、ＣＰＵ２１１、ＲＡＭ（ＳＲＡＭ）２１２、画像保存用メモリ（Ｆｌａｓｈ  ＲＯＭ）２１３、及びＢｌｕｅｔｏｏｔｈ通信モジュール２０８を備える。
【００３６】
表示モジュール２１０において、ＬＣＤからなる表示部２１０１は電源オン時、もしくはモード設定時に設定される表示モードに応じて、カラーＶＧＡ表示とモノクロ（１６階調）表示とが可能なものであり、表示ドライバ２１０２はこれに対応するようにＬＣＤを駆動するものである。また、表示ドライバ２１０２は１フレームの表示開始／終了タイミングを、制御信号ｄを出力することによってカラーカメラモジュール２０７に知らせ、同期を取っている。なお、表示モジュール２１０は、本実施の形態においてはＲＢＧ４４４（Ｒ（４bit）×Ｇ（４bit）×Ｂ（４bit））を採用するので、実質４０９６色表示である。カラーカメラモジュール２０７はカラー撮像が可能なものであって、前記撮像レンズ部２０７１を有している。Ｂｌｕｅｔｏｏｔｈ通信モジュール２０８は、前記携帯電話端末４に備えられたものと同様の無線処理部４６１が備えられ、デバイスＩＤメモリ２０８２を更に備えている。無線処理部４６１は携帯電話端末４とＢｌｕｅｔｏｏｔｈ方式による近接無線通信を行うためのＢｌｕｅｔｏｏｔｈ用アンテナ４６０を備え、デバイスＩＤメモリ２０８２は、携帯電話端末４との認証、及びリンク確立のために必要となる当該デジタルカメラ２のＩＤやメーカーＩＤ等が記憶されている。ＣＰＵ２１１は、制御部２１１１、画像処理部２１１２、ＲＯＭ２１１３を有している。制御部２１１１は、後述の処理に従って制御信号ａをカラーカメラモジュール２０７に出力するとともに、ＲＡＭ２１２及び表示モジュール２１０の表示ドライバ２１０２にそれぞれ制御信号ｂ、ｃを出力する。さらに、制御部２１１１は、同期保持部２１１４を備える。また、制御部２１１には前記キーＳ１〜Ｓ５、シャッターキーＦ０の操作情報がキー入力部２１４から入力される。ＲＯＭ２１１３にはプログラムが格納され、制御部２１１１はこのＲＯＭ２１１３格納されているプログラムに従って各部を制御し、画像処理部２１１２はカラーカメラモジュールから転送された撮像データ（ＹＵＶ４２２形式）のＪＰＥＧ圧縮処理を行う。
【００３７】
図９は、カラーカメラモジュール２０７の機能回路構成を示すブロック図である。前記撮像レンズ部２０７１の後方には、撮像デバイス２０７２が配置され、この撮像デバイス２０７２に順次ＤＳＰ（Digital Signal Processor；符号化処理回路）２０７３、ＲＧＢ変換回路＆ゲート回路２０７４が接続されている。撮像デバイス２０７２、ＤＳＰ２０７３、ＲＧＢ変換回路＆ゲート回路２０７４は、前記制御部２１１１からの制御信号ａにより制御されるように構成されている。
【００３８】
撮像デバイス２０７２は、１／１４′ＣＭＯＳカラーセンサーで構成されている。ＤＳＰ２０７３は、撮像デバイス２０７２で撮像されたイメージをデジタル符号化処理するものであって、出力形式としてＹＵＶ４２２形式（画像信号１画素につき輝度（Ｙ）値（４ｂｉｔ）、赤色差（Ｕ：２ｂｉｔ）、青色差（Ｖ；：２ｂｉｔ）で定義されるデータ）に分離・符号化して撮像データに変換するものである。ＲＧＢ変換回路＆ゲート回路２０７４は、ＲＧＢ変換機能を有するとともに、制御部２１１１からの制御信号ａを検出することにより、ＤＳＰ２０７３から出力される撮像データをデータライン２０９に出力する回路である。
【００３９】
（動作の説明）
次に、本実施の形態の動作について説明する。
図１０は、携帯電話端末４が待受状態時に、外部機器より接続要求を検出したデバイスを判断する処理を示すフローチャートである。すなわち、携帯電話端末４は、Ｂｌｕｅｔｏｏｔｈ用アンテナ４６０が接続された無線処理部４６１を介して外部機器のデバイスＩＤを受信したか否かを判断する（ステップＡ１）。デバイスＩＤを受信した場合には、ＲＯＭ４６５の領域４６５３に記憶されている近接無線通信用ドライバを設定して起動させる（ステップＡ２）。次に、ＲＯＭ４６５の領域４６５０に記憶されている携帯電話端末４のデバイスＩＤを送信し、また、スレーブとなる外部機器とデータ交換を行い、携帯電話端末４と通信相手となる外部機器との間で、マスター−スレーブのリンク確立を行う（ステップＡ３）。さらに、表示部４２５において“ＢＴ”を点灯させてから（ステップＡ４）、データ通信待機状態に入る。
【００４０】
ステップＡ１での判断の結果、デバイスＩＤを受信しなかった場合、つまりコネクタ４１４に何がしか接続された場合には、外部機器とのケーブルを経由したＵＳＢ接続と判断し、ＲＯＭ４６５の領域４６５２に記憶されているＵＳＢ通信用ドライバを設定して起動させる（ステップＡ５）。さらに、当該携帯電話端末４のデバイス情報、及び記憶情報を接続されたＰＣ等に送信し（ステップＡ６）、電源供給をコネクタ４１４を介して接続先のＰＣ等側から供給される電源に切り換える（ステップＡ７）。さらに、表示部４２５において“ＵＳＢ”を点灯させてから（ステップＡ８）、データ通信待機状態に入る。
【００４１】
このとき、携帯電話端末４にあってはサブＣＰＵ４６４の内部クロックに基づく演算処理により、デジタルカメラ２にあっては制御部２１１１の内部クロックに基づく演算処理により、各々同期保持部４６４１、２１１４で同期タイミング等の情報を常時保持する、またこの同期保持部４６４１、２１１４にあってはマスター−スレーブ間のリンク確立情報も保持する。このようにして、携帯電話端末４とデジタルカメラ２はリンク確立の後、間欠的に通信することにより同期を保持している。
【００４２】
図１１は、デジタルカメラ２側の処理を示すフローチャートである。すなわち、制御部２１１１は、ＲＯＭ２１１３に格納されているプログラムに基づき、図１１（ａ）のフローチャートに示す処理を実行する。すなわち、ＭＯＤＥ／ＳＥＬＥＣＴキーＳ３からの操作情報に基づき動画撮影モードの設定が検出されたか否かを判断する（ステップＳ１）。動画撮影モード以外の他のモードが検出された場合には、静止画撮影モード等、予めプログラムされている他のモードに移行してそのモードに応した処理を実行する（ステップＳ２）。
【００４３】
動画撮影モードの設定が検出された場合には、制御部２１１１は、これから動画撮影モードに移行する旨を意味するモード信号データをリンク確立されている携帯電話端末４に対し送信し、リンク確立を一時的に外す（ステップＳ３）。さらに、カラーカメラモジュール２０７に対し制御信号ａを出力し、画像の撮り込み処理の開始を指示する（ステップＳ４）。また、表示モジュール２１０に対しては信号ｃにより入力データに基づく表示を指示し（ステップＳ５）、待機状態に入る（ステップＳ６）。
【００４４】
一方、制御信号ａを入力されたカラーカメラモジュール２０７は、図１８（ｂ）のフローチャートに示すように、動作を開始する。すなわち、撮り込み処理を行って（ステップＴ１）、表示ドライバ２１０２から入力される制御信号ｄのタイミングに基づいて、１フレームの終了タイミングか否かを判断し（ステップＴ２）、１フレームの終了タイミングとなる毎に、撮像データを表示モジュール２１０に対応したデータに変換する（ステップＴ３）。さらに、この変換した対応データをデータライン２０９に出力して表示ドライバ２１０２に転送し、スルー画像として表示する（ステップＴ４）。また、制御部２１１１からのコマンドがあったか否かを判断し（ステップＴ５）、コマンドがあるまでステップＴ１〜Ｔ１５の処理を繰り返す。そして、制御部２１１１からのコマンドがあった時点で、撮像データをＲＡＭ２１２にも転送する（ステップＴ６）。
【００４５】
他方、制御部２１１１は動画撮影を開始させるための、シャッターキーＦ０の１回目の操作が検出されたか否かを判断する（ステップＳ７）。１回目のシャッターキーＦ０の操作が検出されると（ステップＳ７；ＹＥＳ）、制御信号ａを出力して、カラーカメラモジュール２０７からの撮像データ（ＹＵＶ４２２データ）をＲＡＭ２１２にも順次転送させる（ステップＳ８）。このとき表示ドライバ２１０２への撮像データ（ＹＵＶ４２２データ）の転送も継続させる（ステップＳ９）。
【００４６】
そして、動画撮影を終了させるための２回目のシャッターキーＦ０の操作が検出されたか否かを判断する（ステップＳ１０）。２回目のシャッターキーＦ０の操作がなされず、動画撮影が継続していると、ＲＡＭ２１２の容量不足が検出されたか否かを判断する（ステップＳ１５）。ＲＡＭ２１２の容量不足が検出された場合には、後述するステップＳ１１に進み、検出されない場合にはステップＳ１６に進んで、他のキーの操作が検出されたか否かを判断する。そして、他のキーの操作が検出された場合には、後述するステップＳ１４に進み、検出されない場合にはステップＳ８からの処理を繰り返す。
【００４７】
したがって、２回目のシャッターキーＦ０の操作及び他のキー操作がなされず、動画撮影が継続している状態にあり、かつＲＡＭ２１２の残存容量も十分であると、その間にステップＳ８→Ｓ９→Ｓ１０→Ｓ１５→Ｓ１６→Ｓ８が複数回繰り返されることとなり、これによりＲＡＭ２１２には前記撮像データが順次記憶されることとなる。
【００４８】
そして、動画撮影を終了させるための２回目のシャッターキーＦ０の操作が検出されると（ステップＳ１０；ＹＥＳ）、前述のようにＲＡＭ２１２に記憶された複数の撮像データを順次画像処理部２１１２に転送して、ＪＰＥＧファイル形式に圧縮処理し、画像保存用メモリ２１３に一時的に格納する（ステップＳ１１）。しかる後に、同期保持部２１１４に格納されている同期タイミング等の情報やリンク確立情報に基づいて、Ｂｌｕｅｔｏｏｔｈ通信モジュール２０８を再駆動させて同期を取り、画像保存用メモリ２１３に一時的に格納した複数の撮像データ（ＪＰＥＧファイル形式）をリンク確立されている携帯電話端末４に一斉転送する（ステップＳ１２）。
【００４９】
すなわち、このステップＳ１２での処理以前にＢｌｕｅｔｏｏｔｈ通信モジュール２０８を再駆動させ、同期保持部２１１４内に保持されていた同期タイミングに基づいて携帯電話端末４とのリンクを再確立させると、携帯電話端末４側では、動画撮影モードの終了と、複数の撮像データ（ＪＰＥＧファイル形式）が一斉送信されることを認識する。なお、このとき、表示部２１０１に図１２に示すように「ＣＥＬＬＵＬＡＲ  ＳＥＮＤ」、デジタルカメラ２の図形、携帯電話端末４の図形及び矢印を表示し、ステップＳ８からの処理を繰り返す。
【００５０】
他方、ステップＳ７での判断の結果、動画撮影を開始するためのシャッターキーＦ０の操作が検出されなかった場合には、ＭＯＤＥ／ＳＥＬＥＣＴキーＳ３に操作に基づくモード切り替えが検出されたか否かを判断し（ステップＳ１３）、モード切り替えが検出されない場合には、ステップＳ６からの処理を繰り返す。そして、ＭＯＤＥ／ＳＥＬＥＣＴキーＳ３に操作に基づくモード切り替えが検出されると（ステップＳ１３；ＹＥＳ）、カラーカメラモジュール２０７に対し画像撮り込み終了を指示して（ステップＳ１４）、このフローに従った処理を終了する。
【００５１】
図１３は、携帯電話端末４の画像閲覧モード時における動作を示すフローチャートである。すなわち、携帯電話端末４は、ユーザの操作入力部４１５での操作による画像閲覧モードの設定が検出されたか否かを判断し（ステップＢ１）、画像閲覧モード以外の他のモードの設定が検出された場合には、当該他のモードに移行する。また、画像閲覧モードの設定が検出された場合には、表示部４２５にメニュー画面を表示し（ステップＢ２）、このメニュー画面に含まれているオート作成モードの変更が検出された否かを判断する（ステップＢ３）。オート作成モードの変更が検出された場合には、他の設定に変更する（ステップＢ１２）。オート作成モードが変更されずに維持されている場合には、さらにサムネイル表示設定が検出されたか否かを判断する（ステップＢ４）。サムネイル表示設定が検出された場合には、静止画ファイル格納領域４６３１にデータがあるか否かを判断し（ステップＢ５）、ない場合にはエラー表示を行う（ステップＢ１１）。また、静止画ファイル格納領域４６３１にデータがある場合には、静止画ファイル格納領域４６３１に格納されている静止画ファイルを用い、表示部４２５にてサムネイル表示を行う（ステップＢ６）。
【００５２】
次に、このサムネイル表示された複数の静止画に対し、動画データを作成するための静止画の順次選択及び決定操作が検出されたか否かを判断し（ステップＢ７）、検出されたならば選択された順番に静止画ファイル格納領域４６３１から静止画を読み出し、その順番に基づいて動画ファイルを自動作成（ＭＰＥＧ圧縮加工）する（ステップＢ８）。そして、この作成した動画ファイルに対して入力されたファイル名を付けて、動画ファイル格納領域４６３２に格納する（ステップＢ９）。さらに、この画像閲覧モードのモード抜けが検出されたか否かを判断し、画像閲覧モードが設定されている間はステップＢ２からの処理を繰り返し、画像閲覧モードが解除された時点でこのフローチャートに従った処理を修了する。
【００５３】
図１４は、携帯電話端末４側のＢｌｕｅｔｏｏｔｈ方式による近接無線通信（若しくはＵＳＢ経由）でのデータ取り込み動作を示すフローチャートである。すなわち、近接無線通信、若しくはＵＳＢ経由で外部機器からの送信要求を検出したか否かを判断する（ステップＣ１）。送信要求を検出したならば、その受信内容はデジタルカメラ２から送信された前述のこれから動画撮影する（一時的にリンク確立を外す）モード信号、又はデータ（ＪＰＥＧファイル形式のデータ）を送信するための準備信号のいずれかであるかを判断する（ステップＣ２）。前記モード信号であったならば、前述のオート作成モードに設定されているか否かを判断し（ステップＣ３）、設定されている場合には、ＲＯＭ４６５の領域４６５１に格納されている変換アプリケーションプログラムを起動させて待機する（ステップＣ４）。
【００５４】
なお、この時点で携帯電話端末４はリンク確立から外れるが、前述のように携帯電話端末４にあってはサブＣＰＵ４６４の内部クロックに基づく演算処理により、デジタルカメラ２にあっては制御部２１１１の内部クロックに基づく演算処理により、各々同期保持部４６４１、２１１４で同期タイミング等の情報を常時保持して、マスター−スレーブの関係を保持している。また、この場合、ユーザによる操作入力部４１５での操作により、デジタルカメラ２に対し強制的に再リンク確立を要求することは可能である。よって、デジタルカメラ２側が動画撮影モード中でも、再リンク確立要求により中断させることも可能であって、リモートで撮影を中止させることもできる。
【００５５】
他方、ステップＣ２での判断の結果、データを送信するための準備信号であったならば、これに引き続いて送信されてきたデータを取り込み（ステップＣ５）、この取り込んだデータがＪＰＥＧファイル形式のデータであるか否かを判断する（ステップＣ６）。ＪＰＥＧファイル形式のデータ以外の他のデータであった場合には、この取り込んだデータをＲＡＭ４６３のその他データ格納領域４６３０に格納する（ステップＣ１２）。
【００５６】
また、ＪＰＥＧファイル形式のデータであった場合には、それが複数枚分あるか否かを判断し（ステップＣ７）、複数ではなく１つのファイルであった場合には、これをＲＡＭ４６３の静止画ファイル格納領域４６３１に格納する。しかし、複数であった場合には、このときオート作成モードが設定されているか否かを判断し（ステップＣ８）、このオート作成モードが設定されていない場合には、静止画ファイル格納領域４６３１にこの複数のＪＰＥＧファイル形式のデータを格納する（ステップＣ１０）。
【００５７】
また、オート作成モードが設定されている場合には、送信されてきた順番に基づいて動画ファイルを自動作成（ＭＰＥＧ圧縮加工）し、この作成した動画ファイルに入力されたファイル名を付けて、動画ファイル格納領域４６３２に格納する（ステップＣ９）。
【００５８】
図１５は、以上に説明したデータ変換処理を示すイメージ図であり、図において、Ｊ１、Ｊ２、Ｊ３、Ｊ４、Ｊ５はデジタルカメラ２から順次近接無線通信で送信されてきた複数のＪＰＥＧファイルである。このＪＰＥＧファイルＪ１、Ｊ２、Ｊ３、Ｊ４、Ｊ５は、携帯電話端末４側で送信されてきた順番に基づいて動画として例えばＭＰＥＧ形式の処理方法で圧縮加工され、入力されたファイル名が付けられて、動画ファイル格納領域４６３２に動画ファイルＭとして格納されることとなる。
【００５９】
なお、本実施の形態の説明においては、携帯電話端末４とデジタルカメラ２との間で近接無線通信により撮像された画像データを送受信する場合について専ら説明したが、デジタルカメラ２と近接無線通信機能を備えたＰＤＡとの間、デジタルカメラ２と近接無線接続されたノートパソコンとの間、携帯電話端末４と近接無線接続されるカメラつきＰＤＡとの間においても、前述したフトーチャートに従った処理を実行することにより、画像データを送受信することが可能である。
また、本実施の形態においては、携帯電話端末４をマスターとしデジタルカメラ２をスレーブとする関係としたが、これを逆の関係としてもよい。
【００６０】
さらに本実施の形態においては、近接無線通信方式としてＢｌｕｅｔｏｏｔｈ方式を採用した場合を例示したが、いわゆる高速無線ＬＡＮを実現する各種規格、たとえば、ＩＥＥＥ  ８０２．１１ａ、ＩＥＥＥ  ８０２．１１ｂ、ＩＥＥＥ８０２．１１ｇであってもよく、適宜変更可能であることはいうまでもない。
【発明の効果】
【００６１】
以上説明したように本発明によれば、ユーザーは単に撮影操作を行えば、送信先の電子機器側で自動的に動画ファイルが作成されることになり、動画作成のための撮像データの転送時における操作上の煩わしさを解消することができる。
【図面の簡単な説明】
【図１】本発明の一実施の形態のシステム構成を示す図である。
【図２】携帯電話端末の回路構成を示すブロック構成図である。
【図３】携帯電話端末のＲＯＭを示すメモリ構成図である。
【図４】携帯電話端末のＲＡＭを示すメモリ構成図である。
【図５】携帯電話端末の無線処理部を示すブロック図である。
【図６】デジタルカメラの外観構成を示す平面図である。
【図７】（ａ）は同デジタルカメラの拡大平面図、（ｂ）は、（ａ）のＡ矢示図である。
【図８】デジタルカメラの回路構成を示すブロック図である。
【図９】カラーカメラモジュールの回路構成を示すブロック図である。
【図１０】携帯電話端末が待受状態時に接続要求を検出したデバイスを判断する処理を示すフローチャートである。
【図１１】デジタルカメラ側の処理を示すフローチャートである。
【図１２】、デジタルカメラの表示例を示す図である。
【図１３】携帯電話端末の画像閲覧モード時における動作を示すフローチャートである。
【図１４】携帯電話端末の近接無線通信（若しくはＵＳＢ経由）でのデータ取り込み動作を示すフローチャートである。
【図１５】データ変換処理を示すイメージ図である。
【符号の説明】
１    無線通信システム
２    デジタルカメラ
４    携帯電話端末
２００    機器本体
２０７    カラーカメラモジュール
２０９    データライン
２１０    表示モジュール
２１１    ＣＰＵ
２１２    ＲＡＭ
２１３    画像保存用メモリ
２１４    キー入力部
４０４    バス
４０５    メインＣＰＵ
４０６    送受信部
４０７    通信処理部
４０８    プログラムメモリ
４１５    操作入力部
４１６    音声復号符号処理部
４１７    アンテナ
４１８    送受信共用器
４１９    復調部
４２０    等化器
４２５    表示部
４６０    Ｂｌｕｅｔｏｏｔｈ用アンテナ
４６１    無線処理部
４６３    ＲＡＭ
４６４    サブＣＰＵ
４６５    ＲＯＭ
２０７１    撮像レンズ部
２０７２    撮像デバイス
２０７３    ＤＳＰ
２０８２    デバイスＩＤメモリ
２１０１    表示部
２１０２    表示ドライバ
２１１１    制御部
２１１２    画像処理部
２１１３    ＲＯＭ
２１１４    同期保持部
４６１９    ブルーツゥースベースバンドコントローラ
４６３０    他データ格納領域
４６３１    静止画ファイル格納領域
４６３２    動画ファイル格納領域
４６３３    ワークメモリ領域
４６４１    同期保持部
【図１】
0004238507.tif 000002
【図２】
0004238507.tif 000003
【図３】
0004238507.tif 000004
【図４】
0004238507.tif 000005
【図５】
0004238507.tif 000006
【図６】
0004238507.tif 000007
【図７】
0004238507.tif 000008
【図８】
0004238507.tif 000009
【図９】
0004238507.tif 000010
【図１０】
0004238507.tif 000011
【図１１】
0004238507.tif 000012
【図１２】
0004238507.tif 000013
【図１３】
0004238507.tif 000014
【図１４】
0004238507.tif 000015
【図１５】
0004238507.tif 000016